(57)【要約】【課題】  従来の捜索方法では張り紙を見た人からの情報のみでしか情報収集できないという問題があった。【解決手段】  全国各地に設置されている自動販売機に捜索人情報（例えば、指紋等の固有情報）をデータベースとして記憶させておき、自動販売機で商品を購入しようとしている購入者が自動販売機のボタンを押下したときに、当該ボタンに付着した購入者の指紋を自動的に読み取り、予め自動販売機の記憶手段に記憶されている捜索人のデータベースと前記読み取った指紋とを照合し、照合の結果データベースと読み取った指紋とが一致した場合、捜索指示元の機関等へ通知可能とする捜索人検知システムを提供する。【選択図】図２
2005128634.tif 000002
【特許請求の範囲】
【請求項１】
特定の機関より捜索者を捜索する指示及び捜索者の捜索者情報を指示情報として送信する通信端末装置と、前記通信端末装置の指示情報を受信し、指示情報を記憶し、捜索者を捜索する自動販売機とで構成される捜索人検知システムであって、
前記自動販売機は当該自動販売機の位置情報を含む自情報を予め記憶している記憶手段を備えており、
前記自動販売機は購入者により当該自動販売機の購入ボタンが押下されると当該購入ボタンに付着した指紋を読み取る指紋読み取り手段と、
前記購入ボタンが押下されたときに当該購入ボタンを押下した購入者の画像を撮影する画像撮影手段と、
前記指紋読み取り手段により読み取った指紋と特定機関より送られてきた捜索者情報とを比較判断する比較判断手段と、
前記比較判断手段により捜索者情報と当該指紋とが一致した場合には、当該一致した捜索者情報と前記画像撮影手段で撮影した画像等の情報と前記自動販売機の自情報とを特定の機関へ送信する情報送信手段と、
を備えたことを特徴とする捜索人検知システム。
【発明の詳細な説明】
【技術分野】
【０００１】
本発明は、ある特定の機関から指示された捜索人のデータベースにより、全国各地に設置されている自動販売機にて指紋の照合等を行い、特定機関から指示されている捜索人を捜索するシステムに関するものである。
【背景技術】
【０００２】
従来、捜索人（例えば指名手配犯など）を捜索する場合には、張り紙等で「この人を見かけたら連絡してください」などのアナウンスを行う場合が多く、他の手段での捜索手段があまりなかった。このため、張り紙を見た人からの情報提供を待つだけのケースが多く、またこのようなケースの場合は目撃情報があまり集まらず発見できないといった結果になることが多かった。また、指名手配犯等の場合においては、指名手配犯が整形手術を行うこともあり本人か否か判断できない場合があるため、ほとんど目撃情報が得られないという問題があった。
【発明の開示】
【発明が解決しようとする課題】
【０００３】
本発明は、従来の捜索方法における問題点である張り紙を見た人からの情報のみでしか情報収集できないという問題に鑑みて為されたものであり、全国各地に設置されている自動販売機に捜索者情報（例えば、指紋等の固有情報）を記憶させておき、自動販売機で商品を購入しようとしている購入者が自動販売機のボタンを押下したときに、当該ボタンに付着した購入者の指紋を自動的に読み取り、予め自動販売機の記憶手段に記憶されている捜索者情報と前記読み取った指紋とを照合し、照合の結果捜索者情報と読み取った指紋とが一致した場合、捜索指示元の機関等へ通知可能とする捜索人検知システムを提供することにある。
また、自動販売機のある地域の近くにある捜索指示元の機関等へも通知を行うことでいち早く捜索人を保護又は確保することができる。
【課題を解決するための手段】
【０００４】
上記課題を解決する本発明は、特定の機関より捜索者を捜索する指示及び捜索者情報を指示情報として送信する通信端末装置と、前記通信端末装置の指示情報を受信し、指示情報を特定の記憶手段に記憶し、捜索者を捜索する自動販売機とで構成される捜索人検知システムであって、  前記自動販売機は購入者により当該自動販売機の購入ボタンが押下されると当該購入ボタンに付着した指紋を読み取る指紋読み取り手段と、  前記購入ボタンが押下されたときに当該購入ボタンを押下した購入者の画像を撮影する画像撮影手段と、  前記指紋読み取り手段により読み取った指紋と特定機関より送られてきた捜索者情報とを比較判断する比較判断手段と、  前記比較判断手段により捜索者情報と当該指紋とが一致した場合には、当該一致した捜索者情報と前記画像撮影手段で撮影した画像等の情報を指示元である特定の機関へ送信する情報送信手段と、を備えたことを特徴とする。
【発明の効果】
【０００５】
本発明は、捜索人の指紋等の捜索者情報があれば全国の自動販売機に捜索者情報を送信することで、２４時間何時でも監視することができ、自動販売機の購入者が捜索人と一致した場合には捜索指示元の機関等へ即座に通知を行い、また該当自動販売機の周辺地域にある捜索指示元の機関等へも通知を行うため、いち早く捜索人を保護或いは確保することができる。
また、同時に顔の画像も撮影することから、現在の捜索人の容姿を確認し捜索人本人か否か判断することができる。更に、万が一捜索人が整形手術等を行っている場合であっても、指紋データを照合することで捜索人本人か否か判断することができるため、捜索人の見た目が変わっていた場合であっても判断することができる。
また、自動販売機のボタンは誤認識を防止するため、ボタンに付いた指紋等の拭き取り作業を定期的に行うことで指紋認識率低下を防止させるという利点がある。
【発明を実施するための最良の形態】
【０００６】
本発明の一実施の形態を図面を参照しながら説明する。ここでは、、例として警視庁から送信された全国指名手配の手配書データ（以降、捜索者情報と呼ぶ）を予め記憶手段に保持している自動販売機の構成及び処理に関して説明していく。
【実施例１】
【０００７】
図２は、本発明のシステムの概要を示した図である。通信端末装置２０１は自動販売機２０３に捜索者情報を送信する機関の通信端末装置２０１である（この例では警視庁の通信端末装置である、以降、警視庁と呼ぶ）。捜索者リスト２０２は捜索者情報中に登録される１データ分の登録内容を示している。自動販売機側２０３には、前記検索者リスト２０２が複数人数分捜索者情報として送られることになる。ここで、警視庁から指名手配犯の捜索者情報を、全国に配置されている配置されている自動販売機２０３に対して送信を行うと、自動販売機２０３の中に設置されている送受信部２０４により受信した捜索者情報を捜索者情報記憶部２１０に格納する。捜索者情報を捜索者情報記憶部に格納した後に、購入者が当該自動販売機２０３で買い物をして自動販売機のボタン２０５を押下すると、先ず購入者の画像を撮影部２０６より撮影し、撮影した画像を画像撮影処理ワークエリア２０７に退避する。その後、通常通りに購入者が押下したボタンに対応する商品を出し、商品を出した後に購入者が押下したボタンに付いた指紋の認識処理を行い２０９、指紋認識処理２０９が終了すると当該認識した指紋と捜索者情報を参照することで、指紋照合処理部２０８により指紋照合を行う。指紋照合処理部２０８は、捜索者情報中に含まれる指紋データを１件づつ取り出し各々照合を行う。指紋照合処理部は、一致するデータが見つかるまで又は、捜索者情報のデータがなくなるまで繰り返し行われる。指紋照合処理２０８で結果が一致した場合には、対象自動販売機の番号や設置場所や時刻等の情報が格納されている自情報格納部２１１のデータを呼び出し、前記撮影部２０６で撮影した画像データと併せて警視庁へ送る情報を生成し、生成した情報を警視庁へ送受信部２０４により送信する。この情報を警視庁が受け取ることで、指名手配犯の場所の特定が可能であり、これにより警視庁から各県警に連絡が容易に行え、一番近くにいる警察官が犯人逮捕がいち早くできるようになる。また、警視庁から自動販売機へ送信する捜索者情報や、自動販売機から警視庁に送信された情報は各交番やパトカー等に通信機等を装備することで容易に受け取ることができるめ、現在の犯人の容姿や場所を特定できるため効率的に捜索が行えるようになる。
【０００８】
次に図１により、本発明による捜索人検知システムの自動販売機２０３での動作を示す。  先ず、自動販売機２０３のボタン２０５が購入者により押下されたか否かの判断を行う処理をする（ステップ１０１）。次に、ステップ１０１において購入者によりボタン２０５が押下されたと判断した場合には、自動販売機２０３に備えられているカメラ等の撮影部２０６が起動され、購入者の画像を撮影する（ステップ１０２）。前記、ステップ１０２で撮影した画像は、指名手配者等の現在の容姿を残すために撮影を行い、過去の容姿と相違があっても間違いなく見分けられるようにするためのデータとする。ステップ１０２で撮影した画像データは、図２の画像撮影処理ワークエリア２０７に登録を行う。登録した撮影画像データは、指紋の照合のあと指紋が一致すれば警視庁に、当該購入者の自動販売機２０３で撮影した画像等の情報を送信する。また、指紋照合で一致しない場合には、照合処理終了後に自動的に当該購入者を撮影した画像及び指紋等の情報は削除するようになっている。前記のような処理を行うことで、図２の画像撮影処理ワークエリア２０７の有効利用を図ることができる。
【０００９】
次に、顧客が押したボタンに付いた指紋の認識処理を行う（ステップ１０３）。ここでの指紋認識処理２０９は、従来技術の手法で認識処理を行うこととする。指紋の認識処理が終了すると、警視庁から予め送られてきて自動販売機２０３内の記憶手段に記憶されている捜索者情報をサーチして（ステップ１０４）、当該捜索者情報の中から現在指紋認識処理２０９をした指紋情報を基に、捜索者情報と当該指紋情報とが一致するか否かの指紋照合処理２０８を行う（ステップ１０５）。ステップ１０５の処理の後に、指紋情報と捜索者情報に含まれる指紋情報が一致した場合には（ステップ１０６、YES）、該当する捜索者情報の情報及び自動販売機で撮影した画像を当該自動販売機の位置情報と時刻情報を付して警視庁へ送信する情報の生成処理を行う（ステップ１０７）。ステップ１０７の処理が終了すると、警視庁へステップ１０７で生成した情報を送信する（ステップ１０８）。データが一致しない場合には、次の捜索者情報を参照し（ステップ１０９）、参照する捜索者情報の候補がなくなるか又は、捜索者情報のデータと一致するまで繰り返し同じ処理を行う。参照する捜索者情報の候補が無くなった場合は（ステップ１１０、YES）、当該購入者を撮影した画像及び指紋等の情報は削除する（ステップ１１１）。参照する捜索者情報が存在する場合には、繰り返し捜索者情報検索処理を繰り返し行う。
【００１０】
また、自動販売機のボタンは複数の利用者が押すために指紋が数多く付いてしまうため、最新の指紋だけを確認することが困難となる。このため、図３（ｂ）の３０２に示すように指紋を拭く拭き取り具を自動販売機に付け、一定の時間が経過するとボタンの部分が回転し、拭き取り具３０２により指紋が拭き取られる仕組みとなっている。これにより、指紋の検知を容易に行えるようにする。
【００１１】
図３は、本発明を自動販売機に設置した際の一例である。（a）は自動販売機を正面から見た例である。自動販売機には、購入者の画像を撮影する撮影手段３０１が備えられている。撮影手段３０１を自動販売機に設置する場合は、購入者が撮影手段に気づかないように設置することが望ましい。また、（b）は自動販売機に備えられているボタンを横から見た断面図の例である。ボタン３０３は、指紋拭き取り具３０２によってボタン３０３に付いた指紋を拭き取ることができる。拭き取り具に関しては特に指定はしない。
【００１２】
今回の実施例では、自動販売機で捜索者情報と指紋の照合を行っているが、警視庁の通信端末装置で行うようにしても構わない。例えば、自動販売機のボタンを購入者が押下すると画像撮影手段が購入者の画像の撮影を行い、ボタンに付いた指紋を認識する指紋認識処理を行う。前述した処理が終了すると、撮影した画像情報や指紋情報や自動販売機の自情報である当該自動販売機の番号や設置場所や時刻等の情報から、警視庁へ送信する情報を生成し、警視庁へ生成した情報を送信し、自動販売機から送信された情報を基に警視庁で指紋認識処理を行う。
【図面の簡単な説明】
【００１３】
【図１】本発明の概略を示すフローチャート
【図２】本発明のシステムの概要図
【図３】本発明を適用した自動販売機例
【符号の説明】
【００１４】
２０１：通信端末装置、２０２：捜索者リスト、２０３：自動販売機、２０４：送受信部、２０５：自動販売機の購入ボタン、２０６：撮影部、２０７：画像撮影処理ワークエリア、２０８：指紋照合処理、２０９：指紋認識処理、２１０：捜索者情報記憶部、２１１：自情報格納部、２１２：制御部  
【図１】
2005128634.tif 000003
【図２】
2005128634.tif 000004
【図３】
2005128634.tif 000005